(57)【要約】【課題】選択される飲料に応じて、多数記憶された広告コンテンツから、客に最も訴求効果がある広告コンテンツを選択して表示することで、充分な訴求効果が得られるカップ式飲料自動販売機を提供する。【解決手段】本カップ式飲料自動販売機は、機体飲料選択入力手段、飲料が供給されたカップを取り出す販売口及び映像を表示するディスプレイを機体前面に設け、コーヒー原料豆を挽いてコーヒー粉とするミルとこのコーヒー粉を用いてコーヒーを抽出するブルワーを備えたコーヒー生成手段を含む複数の飲料生成手段と、記憶手段を備え飲料生成手段を制御する制御手段を有し、記憶手段に複数種類の広告映像データを記憶しておき、飲料選択入力手段により選択された飲料に応じて、制御手段を介して、飲料生成手段を制御して飲料の生成を行うとともに、この生成中に選択された飲料に応じて予め決められた広告映像データを呼び出し、ディスプレイに広告映像を表示する。【選択図】  図８
2008276610.tif 000002
【特許請求の範囲】
【請求項１】
機体の前面に各々設けられ、購入希望飲料の入力を行う飲料選択入力手段、飲料が供給されたカップを取り出す販売口及び映像を表示するディスプレイと、
前記機体に各々収容され、コーヒー原料豆を挽いてコーヒー粉とするミルとこのコーヒー粉を用いてコーヒーを抽出するブルワーを備えたコーヒー生成手段を含む複数の飲料生成手段と、
記憶手段を備え前記飲料生成手段を制御する制御手段を有し、
前記記憶手段に複数種類の広告映像データを記憶しておき、飲料選択入力手段により選択された飲料に応じて、前記制御手段を介して、飲料生成手段を制御して飲料の生成を行うとともに、この飲料生成中に選択された飲料に応じて予め決められた広告映像データを呼び出し、前記ディスプレイに広告映像を表示することを特徴とするカップ式飲料自動販売機。
【請求項２】
前記飲料選択入力手段により選択されたコーヒー飲料の価格に応じて、予め決められた広告映像データを呼び出し、ディスプレイに広告映像を表示することを特徴とする請求項１に記載のカップ式飲料自動販売機。
【請求項３】
前記飲料選択入力手段により選択されたコーヒー飲料の調理時間に応じて、予め決められた広告映像データを呼び出し、ディスプレイに広告映像を表示することを特徴とする請求項１に記載のカップ式飲料自動販売機。
【請求項４】
前記記憶手段への複数種類の広告映像データの記憶は、カップ式飲料自動販売機の設置時、カップ式飲料自動販売機の保守点検時あるいはコーヒー飲料原料の供給時に、記憶媒体を用いて行うことを特徴とする請求項１ないし３のいずれか１項に記載のカップ式飲料自動販売機。
【請求項５】
前記記憶手段への複数種類の広告映像データの記憶は、インターネット、機体に設けた無線受発信機を介して行うことを特徴とする請求項１ないし３のいずれか１項に記載のカップ式飲料自動販売機。
【請求項６】
前記記憶手段に記憶される広告映像データは、カップ式飲料自動販売機の設置場所に応じて異なる広告映像データ群からなることを特徴とする請求項１ないし５のいずれか１項に記載のカップ式飲料自動販売機。
【請求項７】
請求項１ないし６に記載のカップ式飲料自動販売機を用いてコーヒー飲料及び広告提供業者は、広告主からの直接の依頼あるいは広告代理業者を介しての依頼に基づき、広告映像をディスプレイに表示することを特徴とするカップ式飲料自動販売機を用いた広告方法。
【発明の詳細な説明】
【技術分野】
【０００１】
本発明はカップ式飲料自動販売機及びこれを用いた広告方法に係り、特に選択された飲料に応じて、機体に設けたディスプレイに映す広告内容を選択するカップ式飲料自動販売機及びこれを用いた広告方法に関する。
【背景技術】
【０００２】
従来、コーヒー原料豆を挽いてコーヒー粉とし、このコーヒー粉を用いてコーヒーからコーヒーを抽出してカップに供給して販売するカップ式飲料自動販売機において、コーヒー提供までに調理時間を要するため、利用客へのサービスとして、待時間を持て余し退屈してしまうのを解消するために、飲料販売の待時間を飲料供給過程を自動販売機の表面に設けたディスプレイに表示することにより解消したものがある。
【０００３】
この自動販売機は飲料が選択されると、表示制御手段では記憶手段から選択された飲料に対応する飲料供給過程の表示パターンを読み出し、この読み出した表示パターンで飲料供給過程をディスプレイに順次表示するものである。
【０００４】
しかし、この従来のカップ式飲料自動販売機は、選択された飲料に対応する飲料供給過程を順次表示するのみのものであり、利用客の待時間の活用は充分ではなく、一度作製した読み出しパターンを臨機応変に変えることができなく、本来自動販売機の有しているＰＲ効果の高い場所を確保していることを最大に利用したものではない。
【０００５】
そこで、商品ＰＲ、企業ＰＲ、ＣＭ、設置先ＰＲなどの情報等を提供するカップ式飲料自動販売機も提案されている（特許文献１）。
【０００６】
また、設置ロケーションによって、色々なコンテンツ展開ができるように、自動販売機映像装置用データに変換し、このデータを用いて入れ替え可能にしたカップ式飲料自動販売機が提案されている（特許文献２）。
【０００７】
しかしながら、特許文献１、２に記載のカップ式飲料自動販売機は、選択される飲料に応じて、多数記憶された広告コンテンツから、客に最も訴求効果がある広告コンテンツを選択するものではなく、充分な訴求が得られない。
【０００８】
さらに、特許文献１、２に記載のカップ式飲料自動販売機は、広告主の要求に応じた広告コンテンツを迅速に表示しにくい。
【特許文献１】特開２００３−２１７０１８号公報
【特許文献２】特開２００４−７８６７９号公報
【発明の開示】
【発明が解決しようとする課題】
【０００９】
本発明は上述した事情を考慮してなされたもので、選択される飲料に応じて、多数記憶された広告コンテンツから、客に最も訴求効果がある広告コンテンツを選択して表示することで、充分な訴求効果が得られるカップ式飲料自動販売機を提供することを目的とする。
【００１０】
また、広告主の要求に応じた広告コンテンツを迅速に表示できるカップ式飲料自動販売機を用いた広告方法を提供することを目的とする。
【課題を解決するための手段】
【００１１】
上述した目的を達成するため、本発明に係るカップ式飲料自動販売機は、機体の前面に各々設けられ、購入希望飲料の入力を行う飲料選択入力手段、飲料が供給されたカップを取り出す販売口及び映像を表示するディスプレイと、前記機体に各々収容され、コーヒー原料豆を挽いてコーヒー粉とするミルとこのコーヒー粉を用いてコーヒーを抽出するブルワーを備えたコーヒー生成手段を含む複数の飲料生成手段と、記憶手段を備え前記飲料生成手段を制御する制御手段を有し、前記記憶手段に複数種類の広告映像データを記憶しておき、飲料選択入力手段により選択された飲料に応じて、前記制御手段を介して、飲料生成手段を制御して飲料の生成を行うとともに、この飲料生成中に選択された飲料に応じて予め決められた広告映像データを呼び出し、前記ディスプレスに広告映像を表示することを特徴とする。
【００１２】
また、本発明に係る広告方法は、上記カップ式飲料自動販売機を用いてコーヒー飲料及び広告を提供する業者は、広告主からの直接の依頼あるいは広告代理店を介しての広告主からの依頼に基づき、広告映像をディスプレイに表示することを特徴とする。
【発明の効果】
【００１３】
本発明に係るカップ式飲料自動販売機によれば、選択される飲料に応じて、多数記憶された広告コンテンツから、客に最も訴求効果がある広告コンテンツを選択して表示することで、充分な訴求効果が得られるカップ式飲料自動販売機を提供することができる。
【００１４】
また、本発明に係るカップ式飲料自動販売機を用いた広告方法によれば、広告主の要求に応じた広告コンテンツを迅速に表示することができるカップ式飲料自動販売機を用いた広告方法を提供することができる。
【発明を実施するための最良の形態】
【００１５】
本発明の一実施形態に係るカップ式飲料自動販売機について添付図面を参照して説明する。
【００１６】
図１は本実施形態のカップ式自動販売機の正面図であり、図２及び図３は本カップ式自動販売機の飲料選択ボタンの平面図であり、図４は本カップ式自動販売機の一部構成部品を除去して示す斜視図である。
【００１７】
図１に示すように、本発明に係るカップ式飲料自動販売機１は筐体状の機体２と、この機体２の前面をなし、機体２に開閉自在に軸支された主扉体２Ｄ１及び副扉体２Ｄ２を有し、主扉体２Ｄ１には購入希望飲料の入力を行う飲料選択入力手段としての多数の飲料選択ボタン３が、飲料別に設けられ、ホットドリンク、コールドドリンク別に区分して配列され、さらに、生成（調理）されたコーヒーが入ったカップを取り出す販売口２ａが設けられ、副扉体２Ｄ２には広告映像を動画として表示するディスプレイ（ＬＣＤモニター）４、コイン投入口２ｂ、つり銭取出し口２ｃが設けられる。
【００１８】
図２及び図３に示すように、飲料選択ボタン３はあたたかいお飲み物及びつめたいお飲み物に区分して配され、飲料名、価格、及び飲料によってブラック、砂糖入り、ミルク入りのボタン３ａ、２杯分ボタン３ｂが設けられる。なお、ボタンはいずれもタッチ式のものである。
【００１９】
図４に示すように、機体２は区画板２ｃによって、主室２Ａと副室である機械室２Ｂに区画される。
【００２０】
主室２Ａ下部の区画板２ｃ近傍には、カップ搬送装置５が設けられており、このカップ搬送装置５は適宜開度が変更するカップハンド及び載置台方式のカップ保持装置５ａと、このカップ保持装置５ａを平面内で移動させるＸ軸（機体の幅方向）レール５ｂと、Ｙ軸（機体の奥行方向）レール５ｃからなっている。
【００２１】
一方、主室２Ａの上部には、図４の右側から、Ｘ軸レール５ｂに沿って、ココア、ジュース等のミックス原料、ミルク原料等を収容しモータ駆動のオーガ（図示せず）が設けられた第１のパウダー原料キャニスタ６が複数配設されており、さらに、この第１のパウダー原料キャニスタ６の底部にはカップＣに供給される原料の重量をその減量値から測定するロードセル方式の重量計６ａが取り付けられ、さらに、第１のパウダー原料キャニスタ６の下方には、カップＣに原料を供給する第１の原料保留シュート機構６ｂが連設されており、Ｘ軸レール５ｂ上を移動するカップ保持装置５ａのカップＣに一定量の原料を供給できるようになっている。
【００２２】
また、Ｘ軸レール５ｂに沿い、第１のパウダー原料キャニスタ６に隣接して砂糖、クリーム等を収容しモータ駆動のオーガ（図示せず）が設けられた第２のパウダー原料キャニスタ７が複数配設されており、この第２のパウダー原料キャニスタ７の底部には重量計７ａが取り付けられ、さらに、第２のパウダー原料キャニスタ７の下方には、第２の原料シュート７ｂが連設され、さらに、その下方に設けられ図６に示す原料振分機構７ｃを介して混合器７ｄに一定量の原料を供給し、湯と混合してカップＣに供給するようになっている。
【００２３】
さらに、第２のパウダー原料キャニスタ７に隣接してレギュラーコーヒー原料を収容しモータ駆動のオーガ（図示せず）が設けられたレギュラーコーヒーキャニスタ８が複数配設されており、レギュラーコーヒーキャニスタ８の底部には、重量計８ａが取り付けられ、さらに、レギュラーコーヒーキャニスタ８の下方にはレギュラーコーヒー原料保留シュート機構８ｂが連設され、さらに、レギュラーコーヒー原料保留シュート機構８ｂには、ミル９ａを有しコーヒー原料からコーヒーを抽出するレギュラーコーヒーブルワー９が連設され、抽出されたコーヒーを撹拌調理位置ＣＳに位置するカップ保持装置５ａのカップＣに供給できるようになっている。
【００２４】
また、レギュラーコーヒーキャニスタ８の前面で、かつＹ軸レール５ｃに対向する位置にはリーフティ原料を収容しモータ駆動のオーガ（図示せず）が設けられたリーフティキャニスタ１０が配設され、このリーフティキャニスタ１０の底部には、緑茶ブルワー１１に供給される原料の重量を測定する重量計１０ａが取り付けられ、さらに、リーフティキャニスタ１０にはリーフティ原料シュート１０ｂが連設され、さらに、リーフティ原料シュート１０ｂには、リーフティ原料から緑茶を抽出する緑茶ブルワー１１が連設され、抽出された緑茶を撹拌調理位置ＣＳに位置するカップ保持装置５ａのカップＣに供給できるようになっている。
【００２５】
さらに、レギュラーコーヒーキャニスタ８の前面で、かつリーフティキャニスタ１０の外側には、エスプレッソコーヒー原料を収容するエスプレッソキャニスタ１２が配設され、このエスプレッソキャニスタ１２の底部には、このキャニスタ１２から供給されるエスプレッソコーヒー原料の重量を計り図６に示す重量計１２ａが取り付けられ、また、その底部には、ミル１３ａが設けられており、さらに、ミル１３ａの下方にはコーヒー原料から濃厚なコーヒーを抽出するエスプレッソブルワー１３が連設され、抽出された濃厚なコーヒーを撹拌調理位置ＣＳに位置するカップ保持装置５ａのカップＣに供給できるようになっている。
【００２６】
また、主室２Ａの上部で図４中左側には、適宜切り換えられて氷を供給し、いずれも図示しない、重量計、製氷設置用モータ及び製氷設置用水位コントローラが設けられた２個の製氷装置１４が設けられており、アイスクラッシャー１５により適当な大きさに砕氷してカップＣに氷を供給するようになっている。
【００２７】
さらに、撹拌調理位置ＣＳの上方には、図６に示す撹拌用インペラ１６ａを具備した撹拌装置１６が設けられ、この撹拌装置１６は撹拌調理位置ＣＳに位置するカップＣ内の原料と液体がよく混じるように撹拌する。
【００２８】
主扉３Ａに対向する主室２Ａの手前側下方には、シロップ原料容器１９、レギュラーコーヒーブルワー９からシュータ２０ａを介して廃棄されるコーヒー原料カスを一時的に収容するコーヒー原料カス廃棄バケツ２０が設けられている。
【００２９】
また、図５に示すように、主室２Ａの手前側にはカップＣを収納し適宜供給する２個のカップ供給装置２１が設けられている。さらに、主扉体２Ｄ１の主室２Ａに対向する位置に設けられた販売口２ａには、開閉機構により開閉制御される開閉扉２ａ１が設けられる。
【００３０】
一方、図４に示す機械室２Ｂの前面側には、冷却水槽２２が設けられ、この冷却水槽２２に隣接して、主室２Ａに設けられた水リザーバ２２ｄを介して給水するための給水ポンプ２２ｅが設けられ、さらに、冷却水槽２２に隣接してカップ廃棄バケツ２５が配設され、給水ポンプ２２ｅの上方には炭酸ガスボンベ２３が収納されている。
【００３１】
図６に示すように、冷却水槽２２は、冷却水を貯留する水槽２２ａ及びこの水槽２２ａの冷却水中に配置される冷却コイル２２ｂを設けた出水管２２ｃを有し、水リザーバ２２ｄ内の水が水ポンプ２２ｅにより冷却コイル２２ｂに送られてこの冷却コイル２２ｂを通過する間に冷却水との間で熱交換して冷却される。冷却された冷水は出水管２２ｃの出水電磁弁２２ｇの開放によってカップＣ内に供給され、また、水槽２２ａの冷却水中には、一端に例えばジュース原料などの濃縮液体状のシロップ原料が充填され、主室２Ａに収容されたシロップ原料容器１９が接続され、他端は搬送されるカップＣの上方に達し開口している。さらに、水槽２２ａの冷却水中に炭酸水容器２２ｈが配置され、この炭酸水容器２２ｈ内では冷却コイル２２ｂを通過した冷水の一部および炭酸ボンベ２３から炭酸ガスがそれぞれ供給されて炭酸水が作られ、この炭酸水が炭酸水供給管２２ｊの電磁弁２２ｋの開放によって搬送されるカップＣ内に供給される。なお、水槽２２ａには、給水管２２ｌの途中に設けた弁２２ｍの開放によって冷却水用の水が供給される。
【００３２】
また、主室２Ａの裏面側の一側には、冷却水槽２２及び主室２Ａに設けられた冷却器４ａの冷却を行う上記冷凍装置４４が収容され、さらに、他側には製氷装置１４に付設された冷却器（図示せず）を備えた冷凍装置２４が収容されている。
【００３３】
さらに、両冷凍装置４４、２４間には、湯タンク２６が配設され、この湯タンク２６は湯リザーバ２６ａを介して給水するための湯タンク給水ポンプ２６ｂ及び所定量の給水を行うために作動時間が制御される個別冷水供給ポンプ２６ｃ、計量手段としての流量計２６ｄを具備する複数の熱交換パイプ２６ｅ及びヒータ２６ｆが設けられており、湯タンク２６に貯えられて湯と熱交換パイプ２６ｅを流れる水を熱交換して加熱するようになっている。
【００３４】
本実施形態のカップ式飲料自動販売機における飲料生成手段として、例えば、レギュラーコーヒーキャニスタ８、ミル９ａ、レギュラーコーヒーブルワー９でレギュラーコーヒー生成手段が形成され、リーフティキャニスタ１０、緑茶ブルワー１１で緑茶生成手段が形成され、エスプレッソキャニスタ１２、ミル１３ａ、エスプレッソブルワー１３でエスプレッソ生成手段が形成され、さらに、第１のパウダー原料キャニスタ６、第１の原料保留シュート機構６ｂでインスタント飲料生成手段が形成され、また、これらエスプレッソ生成手段を除く、生成手段に氷を供給することでコールド飲料生成手段が形成される。
【００３５】
図７に示すように、カップ式飲料自動販売機１は、制御手段３０を備え、この制御手段３０は主制御部３１とこの主制御部３１にインターフェイス３２ａを介して接続される自販機コントローラ３２からなり、主制御部３１には、インターフェイス３ａを介して飲料選択ボタン３、ディスプレイ４、インターフェイス３３ａを介してコインメック３３、記憶装置としてのＨＤＤ３４またはメモリ、インターフェイス３５ａを介して記憶媒体読取装置３５が接続される。
【００３６】
この記憶媒体読取装置３５はディスプレイ４に表示する広告のコンテンツが記憶された汎用記憶媒体（スマートメディア、メモリステック、ＣＤ−ＲＯＭ、ＤＶＤ等）３６のコンテンツ情報を読み込んで、ＨＤＤ３４またはメモリに記憶する。
【００３７】
ＨＤＤ３４またはメモリへの記憶は、カップ式飲料自動販売機の保守点検時あるいはコーヒー飲料原料の供給時に、記憶媒体３６を用いて行う。
【００３８】
また、広告提供業者が所有するコンテンツサーバ５０からインターネット５１、モデム５２を介してＨＤＤ３４またはメモリに記憶するようにしてもよい。これにより、容易かつタイムリにコンテンツの更新を行うことができる。
【００３９】
なお、制御手段３０はＣＰＵがＲＯＭ及びＲＡＭとデータのやりとりを行いながらＲＯＭに記憶されている制御プログラムを実行し、あるいはセンサー手段からの入力、外部からの入力により制御プログラムを実行することによって、被制御構成要素を制御する。
【００４０】
図８（ａ）〜（ｄ）に示すように、コンテンツは多数に分類され、例えば、分類「自動車」、「化粧品」、「混合１」、「混合２」などとする。
【００４１】
図８（ａ）に示すように、これら分類毎に区分を設け、「自動車」の区分「１」では高級車を広告するコンテンツを、区分「２」では中級車を広告するコンテンツを、区分「３」では大衆車を広告するコンテンツとし、これら車種区分と飲料価格を関連付える。例えば、区分「１」の高級車には高価格帯の飲料と、区分「２」の中級車には中位価格帯の飲料と、区分「３」の大衆車には低価格帯の飲料と関連付ける。
【００４２】
図８（ｂ）に示すように、「化粧品」の区分「１」では高級品を広告するコンテンツを、区分「２」では中級品を広告するコンテンツを、区分「３」では普及品を広告するコンテンツとし、区分「１」の高級化粧品には高価格帯の飲料と、区分「２」の中級化粧品には中位価格帯の飲料と、区分「３」の普及化粧品には低価格帯の飲料と関連付ける。
【００４３】
図８（ｃ）に示すように、商品あるいは業態の異なる分類「混合１」の区分「１」では、海外旅行を広告するコンテンツを、区分「２」では食品を広告するコンテンツを、区分「３」ではデジタルカメラを広告するコンテンツとし、これら区分と表示時間を関連付ける。例えば、区分「１」の海外旅行は調理時間がほぼ６０秒と長いカプチーノと、区分「２」の食料品は調理時間がほぼ４５秒と中程度のミルク入りレギュラコーヒー（コールド）と、区分「３」のデジタルカメラは調理時間がほぼ１５秒と短いストレートインスタントコーヒー（ホット）と関連付ける。
【００４４】
図８（ｄ）に示すように、商品あるいは業態の異なる分類「混合２」の区分「１」では、海外旅行を広告するコンテンツを、区分「２」では化粧品中級品を広告するコンテンツを、区分「３」では中級車を広告するコンテンツとし、これら区分と嗜好性が強い飲料と関連付ける。例えば、区分「１」の海外旅行を比較的高齢者に好まれるカフェラテと、区分「２」の化粧品中級品は比較的女性が好むことが多い紅茶と、区分「３」の中級車は若い男性が好むことが多いレギュラーブラックコーヒー（ホット）と関連付ける。
【００４５】
コンテンツの分類例えば分類「自動車」、「化粧品」、「混合１」、「混合２」の選択は、カップ式飲料自動販売機１のロケ先によって行う。
【００４６】
分類「自動車」は車の運転者が多く集まる高速道路のサービスエリア、若者が集まる大学の構内、「化粧品」は女子大の構内、女子社員が多い企業内、「混合１」、「混合２」は老若男女が集まる駅構内、市民ホールなどに設置されるカップ式飲料自動販売機１に組み込むのがよい。
【００４７】
コンテンツとしては、広告に限らずニュース、天気予報、各種情報なども提供する。
【００４８】
一般に飲料価格はホットドリンクに比べてコールドドリンクが数十円高く、原料豆を挽いてコーヒーを生成する時間は、インスタント飲料を生成するのに比べて長く、また、連続して１個の大カップに２杯分の飲料を供給する場合には、１杯分のものに比べてほぼ２倍の時間を要する。
【００４９】
なお、飲料選択入力手段は飲料選択ボタン方式に限らず、入力用ディスプレイの案内に従って、ステップ毎に入力し、飲料選択する方式のものであってもよい。
【００５０】
次に、本カップ式飲料自動販売機を用いたコーヒーの供給について説明する。
【００５１】
例えば、カップ式飲料自動販売機１は高速道路のサービスエリアに設置される。この場合、ＨＤＤ３４またはメモリには分類「自動車」のコンテンツが記憶されている。
【００５２】
客がカプチーノを選択すると、エスプレッソキャニスタ１２から、ミル機構１３ａに送りミル機構１３ａで挽き、コーヒー原料粉をエスプレッソブルワー１３に送り、高温の湯と高圧蒸気で濃厚なコーヒーを抽出し、撹拌調理位置ＣＳに位置するカップ保持装置５ａのカップＣに供給する。
【００５３】
図８（ａ）に示すように、一方、カプチーノが選択されると、カプチーノは高価格帯に属し、制御手段３０により、ＨＤＤ３４またはメモリに記憶される分類「自動車」の区分「１」の高級車のコンテンツを呼び出し、高級車の広告映像をディスプレイ４に動画として表示し、カプチーノの調理完了とともに、表示を終了する。
【００５４】
また、ミルク、砂糖入りレギュラーコーヒーが選択されると、ミルク、砂糖入りレギュラーコーヒーは中位価格帯に属し、制御手段３０により、ＨＤＤ３４またはメモリに記憶される分類「自動車」の区分「２」の中級車のコンテンツを呼び出し、中級車の広告映像をディスプレイ４に表示し、ミルク、砂糖入りレギュラーコーヒーの調理完了とともに、表示を終了する。
【００５５】
さらに、インスタントブラックコーヒーが選択されると、制御手段３０により、ＨＤＤ３４またはメモリに記憶される分類「自動車」の区分「３」の大衆車のコンテンツを呼び出し、高級車の広告映像をディスプレイ４に表示し、インスタントブラックコーヒーの調理完了とともに、表示を終了する。
【００５６】
このように、ロケ先に応じたコンテンツの内容（「自動車」）に分類して記憶させ、飲料の価格に応じた車種を表示するので、客対象を絞らずに表示するのに比べてより大きな訴求効果が得られる。
【００５７】
図８（ｂ）に示すように、分類「化粧品」のコンテンツをＨＤＤ３４またはメモリに記憶させ、カップ式飲料自動販売機１を女子社員が多い企業内に設置する場合には、上記「自動車」の場合と同様、客対象を絞らずに表示するのに比べてより大きな訴求効果が得られる。
【００５８】
図８（ｃ）に示すように、分類「混合１」のコンテンツをＨＤＤ３４またはメモリに記憶させ、カップ式飲料自動販売機１を市民ホールに設置する場合には、上記の場合と同様、客対象を絞らずに表示するのに比べてより大きな訴求効果が得られ、また、調理時間に応じたコンテンツの編集がしやすい。
【００５９】
図８（ｄ）に示すように、分類「混合２」のコンテンツをＨＤＤ３４またはメモリに記憶させ、カップ式飲料自動販売機１を駅構内に設置する場合には、上記の場合と同様、客対象を絞らずに表示するのに比べてより大きな訴求効果が得られる。
【００６０】
上記のように本実施形態のカップ式飲料自動販売機によれば、選択される飲料に応じて、多数記憶された広告コンテンツから、客に最も訴求効果がある広告コンテンツを選択して表示することで、充分な訴求効果が得られるカップ式飲料自動販売機が実現する。
【００６１】
また、本発明に係るカップ式飲料自動販売機を用いた広告方法について説明する。
【００６２】
図９に示すように、本発明に係るカップ式飲料自動販売機を用いた広告方法は、コーヒー飲料販売及び広告提供業者５０が、広告主５１からの直接の依頼あるいは広告代理店５２を介しの広告主５１から依頼に基づき、カップ式飲料自動販売機１に設けたディスプレイ５に飲料生成中に広告映像を表示する。
【００６３】
広告主５１は自らあるいは広告代理店５２を通して広告したいコンテンツ作製し、有償でコンテンツの表示を依頼する。
【００６４】
コーヒー飲料及び広告提供業者５０は、広告主５１と相談の上、カップ式飲料自動販売機１の設置先を考慮したコンテンツ分類を決め、ＨＤＤ３４またはメモリへの記憶は、カップ式飲料自動販売機の設置時、保守点検時あるいはコーヒー飲料原料の供給時に、記憶媒体３６を用いて行い、コンテンツの更新は保守点検時あるいはコーヒー飲料原料の供給時に、記憶媒体３６を用いて行なう。
【００６５】
上記のようなカップ式飲料自動販売機を用いた広告方法を採用することにより、客に応じたコンテンツを表示することができて、より効果的な商品訴求が可能となり、また、映像とカップに描かれる広告を対応させることで、より効果的な商品訴求が可能となり、さらに、任意の時間帯別にコンテンツを選択して表示することも可能になり、また、インターネットを介してコンテンツの記憶させるものでは、カップ、機体前面あるいはディスプレイのＱＲコード等を表示して、携帯電話、パソコン等からインターネットサイトに誘導し、ポータルサイトから広告等を提供することも可能になる。
【００６６】
また、コーヒー飲料及び広告提供業者５０は、広告主５１から広告収入が得られるので、この収入をもとにして、飲料の値引き、最大で０円での飲料の提供を可能にし、飲料の販売促進を図るとともに、広告収入を得ることができる。
【００６７】
本実施形態のカップ式飲料自動販売機を用いた広告方法によれば、広告主の要求に応じた広告コンテンツを迅速に表示できるカップ式飲料自動販売機が実現する。
【図面の簡単な説明】
【００６８】
【図１】本発明の一実施形態に係るカップ式自動販売機の正面図。
【図２】本発明の一実施形態に係るカップ式自動販売機の飲料選択ボタンの平面図。
【図３】本発明の一実施形態に係るカップ式自動販売機の飲料選択ボタンの平面図。
【図４】本発明の一実施形態に係るカップ式自動販売機の一部構成部品を除去して示す斜視図。
【図５】本発明の一実施形態に係るカップ式自動販売機の一部構成部品を除去して示す平面図。
【図６】本発明の一実施形態に係るカップ式自動販売機の調理システム系統図。
【図７】本発明の一実施形態に係るカップ式自動販売機の制御回路図。
【図８】（ａ）〜（ｄ）は本発明の一実施形態に係るカップ式自動販売機に用いる広告コンテンツとコンテンツ選択要因の関連図。
【図９】本実施形態のカップ式飲料自動販売機を用いた広告方法の概念図。
【符号の説明】
【００６９】
１  カップ式自動販売機
２  機体
２Ｄ１  主扉体
２Ｄ２  副扉体
３  飲料選択ボタン
４  ディスプレイ
６  第１のパウダー原料キャニスタ
７  第２のパウダー原料キャニスタ
８  レギュラーコーヒーキャニスタ
９  レギュラーコーヒーブルワー
１０  リーフティキャニスタ
１１  緑茶ブルワー
１２  エスプレッソキャニスタ
１３  エスプレッソブルワー
１４  製氷装置
１５  アイスクラッシャー
１６  撹拌装置
２１  カップ供給装置
２２  冷却水槽
２６  湯タンク
３０  制御手段
３１  主制御部
３２  自販機コントローラ
３４  ＨＤＤ
３５  記憶媒体読取装置
【図１】
2008276610.tif 000003
【図２】
2008276610.tif 000004
【図３】
2008276610.tif 000005
【図４】
2008276610.tif 000006
【図５】
2008276610.tif 000007
【図６】
2008276610.tif 000008
【図７】
2008276610.tif 000009
【図８】
2008276610.tif 000010
【図９】
2008276610.tif 000011
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
機体の前面に各々設けられ、購入希望飲料の入力を行う飲料選択入力手段、飲料が供給されたカップを取り出す販売口及び映像を表示するディスプレイと、
前記機体に各々収容され、コーヒー原料豆を挽いてコーヒー粉とするミルとこのコーヒー粉を用いてコーヒーを抽出するブルワーを備えたコーヒー生成手段を含む複数の飲料生成手段と、
記憶手段を備え前記飲料生成手段を制御する制御手段を有し、
前記記憶手段に複数種類の広告映像データを記憶しておき、飲料選択入力手段により選択された飲料に応じて、前記制御手段を介して、飲料生成手段を制御して飲料の生成を行うとともに、この飲料生成中に選択された飲料に応じて予め決められた広告映像データを呼び出し、前記ディスプレイに広告映像を表示することを特徴とするカップ式飲料自動販売機。
【請求項２】
前記飲料選択入力手段により選択された飲料の価格に応じて、予め決められた広告映像データを呼び出し、ディスプレイに広告映像を表示することを特徴とする請求項１に記載のカップ式飲料自動販売機。
【請求項３】
前記飲料選択入力手段により選択された飲料の調理時間に応じて、予め決められた広告映像データを呼び出し、ディスプレイに広告映像を表示することを特徴とする請求項１に記載のカップ式飲料自動販売機。
【請求項４】
前記記憶手段への複数種類の広告映像データの記憶は、カップ式飲料自動販売機の設置時、カップ式飲料自動販売機の保守点検時あるいは飲料原料の供給時に、記憶媒体を用いて行うことを特徴とする請求項１ないし３のいずれか１項に記載のカップ式飲料自動販売機。
【請求項５】
前記記憶手段への複数種類の広告映像データの記憶は、インターネット、機体に設けた無線受発信機を介して行うことを特徴とする請求項１ないし３のいずれか１項に記載のカップ式飲料自動販売機。
【請求項６】
前記記憶手段に記憶される広告映像データは、カップ式飲料自動販売機の設置場所に応じて異なる広告映像データ群からなることを特徴とする請求項１ないし５のいずれか１項に記載のカップ式飲料自動販売機。
【請求項７】
請求項１ないし６に記載のカップ式飲料自動販売機を用いて飲料及び広告提供業者は、広告主からの直接の依頼あるいは広告代理業者を介しての依頼に基づき、広告映像をディスプレイに表示することを特徴とするカップ式飲料自動販売機を用いた広告方法。